(57)【特許請求の範囲】
【請求項１】
情報を表示する表示部と、
商品ごとに商品に関する情報を格納する商品マスタと、
顧客が利用する駐車場の情報及び顧客が注文を開始した時刻である注文時間を含む一取引の注文情報を格納するトランザクションファイルと、
駐車場ごとに駐車券の情報を格納する駐車場マスタと、
前記注文時間と現在時刻とから顧客の滞在時間を算出し、前記駐車場の情報に基づいて前記駐車場マスタを検索して前記駐車券の情報を読み出し、前記滞在時間と前記駐車券の情報とから顧客に配布する前記駐車券の枚数を算出し、前記配布する駐車券の枚数を前記表示部に表示する制御部と、
を備える販売情報登録処理装置。
【請求項２】
前記一取引の注文情報は、
店員が有するハンディーターミナルから入力された前記駐車場の情報と、オーダー端末から入力された注文を格納するオーダーファイルを有するオーダーサーバから受信する請求項１記載の販売情報登録処理装置。
【請求項３】
前記制御部は、
顧客に配布した駐車券を集計して前記表示部に表示する請求項１記載の販売情報登録処理装置。
【請求項４】
情報を表示する表示部と、
商品ごとに商品に関する情報を格納する商品マスタと、
顧客が利用する駐車場の情報及び顧客が注文を開始した時刻である注文時間を含む一取引の注文情報を格納するトランザクションファイルと、
駐車場ごとに駐車券の情報を格納する駐車場マスタと、
を備えるコンピュータを、
前記注文時間と現在時刻とから顧客の滞在時間を算出する滞在時間産出手段と、
前記駐車場の情報に基づいて前記駐車場マスタを検索して前記駐車券の情報を読み出し、前記滞在時間と前記駐車券の情報とから顧客に配布する前記駐車券の枚数を算出する配布枚数産出手段と、
前記配布する駐車券の枚数を前記表示部に表示する配布枚数表示手段と、
として機能させるための駐車券管理プログラム。
【請求項５】
前記コンピュータを、
店員が有するハンディーターミナルから入力された前記駐車場の情報と、オーダー端末から入力された注文を格納するオーダーファイルを有するオーダーサーバから前記一取引の注文情報を受信する注文情報受信手段としてさらに機能させるための請求項４記載の駐車券管理プログラム。
【請求項６】
前記コンピュータを、
顧客に配布した駐車券を集計して前記表示部に表示する集計表示手段としてさらに機能させるための請求項４記載の駐車券管理プログラム。
【発明の詳細な説明】
【技術分野】
【０００１】
本発明の実施形態は、販売情報登録処理装置及び駐車券管理プログラムに関する。
【背景技術】
【０００２】
例えば飲食店などにおいてサービスの一環として駐車料金が一定時間無料になる駐車券を顧客に配布することが行われている。
【０００３】
従来、どのくらいの時間の駐車券を顧客に渡すかは、店員の判断に任されていた。従って、以下の様な問題があった。
【０００４】
駐車券が必要とされている時間より短いと、顧客は店に対する信用を失う。一方、必要以上に長い時間の分だけ駐車券を渡すと、店舗の負担が増える。また、店員が不正に顧客に駐車券を渡すこともありえた。
【０００５】
顧客サービスの点からも、経費の削減の点からも、駐車券を必要かつ十分な分だけ顧客に渡すことが必要である。
【先行技術文献】
【特許文献】
【０００６】
【特許文献１】特開２０１０−１４０１７５号公報
【発明の概要】
【発明が解決しようとする課題】
【０００７】
従って、顧客に必要かつ十分な分だけ駐車券を配布でき、かつ駐車券の枚数の管理が容易にできる販売情報登録処理装置及び駐車券管理プログラムが求められている。
【課題を解決するための手段】
【０００８】
上記の課題を解決するために、本発明の一実施形態は、情報を表示する表示部と、商品ごとに商品に関する情報を格納する商品マスタと、顧客が利用する駐車場の情報及び顧客が注文を開始した時刻である注文時間を含む一取引の注文情報を格納するトランザクションファイルと、駐車場ごとに駐車券の情報を格納する駐車場マスタと、注文時間と現在時刻とから顧客の滞在時間を算出し、駐車場の情報に基づいて駐車場マスタを検索して駐車券の情報を読み出し、滞在時間と駐車券の情報とから顧客に配布する駐車券の枚数を算出し、配布する駐車券の枚数を表示部に表示する制御部と、を備える販売情報登録処理装置を提供する。
【図面の簡単な説明】
【０００９】
【図１】販売情報登録処理装置を含む販売情報登録処理システムの構成を示すブロック図である。
【図２】ＰＯＳ端末の構成を示すブロック図である。
【図３】管理端末の構成を示すブロック図である。
【図４】オーダー端末の構成を示すブロック図である。
【図５】ハンディーターミナルの構成を示すブロック図である。
【図６】オーダーサーバの構成を示すブロック図である。
【図７】キッチン端末の構成を示すブロック図である。
【図８】商品マスタのデータ構成を示す図である。
【図９】トランザクションファイルのデータ構成を示す図である。
【図１０】駐車場マスタのデータ構成を示す図である。
【図１１】オーダーファイルのデータ構成を示す図である。
【図１２】販売情報登録処理システムの動作を示すフローチャートである。
【図１３】ハンディー端末入出力部に表示される駐車場情報入力画面の例を示す図である。
【図１４】駐車場サービス券発行画面の例を示す図である。
【図１５】ＰＯＳ端末入出力部に表示される駐車場サービス券発行集計表の例を示す図である。
【発明を実施するための形態】
【００１０】
以下、販売情報登録処理装置及び駐車券管理プログラムの一実施形態について、図面を用いて詳細に説明する。
【００１１】
図１は、販売情報登録処理装置を含む販売情報登録処理システムの構成を示すブロック図である。図１に示すように、販売情報登録処理システムは、ＰＯＳ（ｐｏｉｎｔ  ｏｆ  ｓａｌｅｓ）端末１０（以下、販売情報登録処理装置をＰＯＳ端末１０という。）と、管理端末２０と、注文登録処理装置であるオーダー端末３０と、ハンディーターミナル４０と、オーダーサーバ５０と、キッチン端末６０と、を備える。販売情報登録処理システムは例えばレストランなどの飲食店において使用される。
【００１２】
ＰＯＳ端末１０、オーダーサーバ５０、及びキッチン端末６０は、ＬＡＮ（ｌｏｃａｌ  ａｒｅａ  ｎｅｔｗｏｒｋ）１などの通信回線を介して互いに接続する。さらに管理端末２０、オーダー端末３０、及びハンディーターミナル４０はＬＡＮ１に接続された無線ルータ２を介して互いに接続する。
【００１３】
ＰＯＳ端末１０は、販売情報を登録、処理し、一取引ずつ会計処理を行う。販売情報には、顧客ごとの商品の売り上げ明細の情報が含まれる。
【００１４】
管理端末２０は、店舗の管理者によって使用され、調理の進行状況や人員配置、顧客の着席状況などを表示する。
【００１５】
オーダー端末３０は、顧客の各テーブルに配置され、メニューを表示するとともに顧客からの注文の入力を受け付ける。オーダー端末３０は入力した注文情報をオーダーサーバ５０に送信する。
【００１６】
ハンディーターミナル４０は店員用の端末である。ハンディーターミナル４０は、注文の入力を行うほか、顧客の来店の登録であるチェックインと、顧客が利用している駐車場に関する情報の入力と、顧客によって注文された商品の配膳完了の入力を行う。
【００１７】
ハンディーターミナル４０は入力された情報をオーダーサーバ５０に送信する。
【００１８】
オーダーサーバ５０は、受信した注文情報に基づいてキッチン端末６０に調理指示を送信する。また、配膳完了をハンディーターミナルから受信した場合、注文情報を売り上げ情報としてＰＯＳ端末１０に送信する。
【００１９】
キッチン端末６０は、オーダーサーバ５０から受信した注文情報に基づいて、調理指示を出力する。
【００２０】
オーダー端末３０は注文履歴の中から指定された商品の注文をオーダーサーバ５０に送信する。
【００２１】
図２は、ＰＯＳ端末１０の構成を示すブロック図である。図２に示すように、ＰＯＳ端末１０は、ＰＯＳ制御部１０１と、ＰＯＳ記憶部１０２と、ＰＯＳ入出力部１０３と、ＰＯＳ通信部１０４と、を備える。ＰＯＳ端末１０はコンピュータを用いて構成することができる。
【００２２】
ＰＯＳ制御部１０１は演算装置であるＣＰＵ（ｃｅｎｔｒａｌ  ｐｒｏｃｅｓｓｉｎｇ  ｕｎｉｔ）を含む。
【００２３】
ＰＯＳ記憶部１０２はメモリ、ハードディスクドライブなどの記憶装置を含む。ＰＯＳ記憶部１０２は、商品マスタ１０２Ａと、トランザクションファイル１０２Ｂと、駐車場マスタ１０２Ｃと、を格納する。
【００２４】
ＰＯＳ記憶部１０２は、駐車券管理プログラムを格納し、ＰＯＳ制御部１０１はＰＯＳ記憶部１０２から駐車券管理プログラムを順次読み出して実行する。
【００２５】
商品マスタ１０２Ａは、商品に固有に割り当てられる商品ＩＤごとに、商品名、単価を含む商品情報を格納する。
【００２６】
トランザクションファイル１０２Ｂは、オーダーサーバ５０から受信した売り上げ情報を一取引ごとに格納する。
【００２７】
駐車場マスタ１０２Ｃは、駐車場ごとの駐車券の券種を格納する。
【００２８】
ＰＯＳ入出力部１０３は、ディスプレイ、キーボード、マウスなどの入出力装置を含む。
【００２９】
ＰＯＳ通信部１０４は、ＬＡＮ１に接続し、通信を行う。
【００３０】
図３は、管理端末２０の構成を示すブロック図である。図３に示すように、管理端末２０は、管理端末制御部２０１と、管理端末記憶部２０２と、管理端末入出力部２０３と、管理端末通信部２０４と、を備える。
【００３１】
管理端末制御部２０１は、演算装置であるＣＰＵを含む。
【００３２】
管理端末記憶部２０２はメモリ、ハードディスクドライブなどの記憶装置を含む。管理端末記憶部２０２は、駐車券管理プログラムを格納し、管理端末制御部２０１は管理端末記憶部２０２から駐車券管理プログラムを順次読み出して実行する。
【００３３】
管理端末入出力部２０３は、ディスプレイ、キーボード、マウスなどの入出力装置を含む。
【００３４】
管理端末通信部２０４は、無線ルータ２を介してＬＡＮ１に接続し、通信を行う。
【００３５】
図４は、オーダー端末３０の構成を示すブロック図である。図４に示すように、オーダー端末３０は、オーダー端末制御部３０１と、オーダー端末記憶部３０２と、オーダー端末入出力部３０３と、オーダー端末通信部３０４と、を備える。
【００３６】
オーダー端末制御部３０１は、演算装置であるＣＰＵを含む。
【００３７】
オーダー端末記憶部３０２はメモリ、ハードディスクドライブなどの記憶装置を含む。オーダー端末記憶部３０２は、商品マスタ１０２Ａと同じ内容を格納する商品マスタ３０２Ａと、注文情報を格納するオーダー入力ファイル３０２Ｂと、を記憶する。
【００３８】
オーダー端末記憶部３０２は、駐車券管理プログラムを格納し、オーダー端末制御部３０１はオーダー端末記憶部３０２から駐車券管理プログラムを順次読み出して実行する。
【００３９】
オーダー端末入出力部３０３は、例えばタッチパネルなどの入出力装置を含む。
【００４０】
オーダー端末通信部３０４は、無線ルータ２を介してＬＡＮ１に接続し、通信を行う。
【００４１】
オーダー端末３０は、コンピュータ、特にタブレット端末を用いることができる。
【００４２】
図５は、ハンディーターミナル４０の構成を示すブロック図である。図５に示すように、ハンディーターミナル４０は、ハンディー端末制御部４０１と、ハンディー端末記憶部４０２と、ハンディー端末入出力部４０３と、ハンディー端末通信部４０４と、を備える。
【００４３】
ハンディー端末制御部４０１は、演算装置であるＣＰＵを含む。
【００４４】
ハンディー端末記憶部４０２はメモリ、ハードディスクドライブなどの記憶装置を含む。ハンディー端末記憶部４０２は、商品マスタ１０２Ａと同じ内容を格納する商品マスタ４０２Ａと、注文情報を格納するオーダー入力ファイル４０２Ｂと、を記憶する。
【００４５】
ハンディー端末記憶部４０２は、駐車券管理プログラムを格納し、ハンディー端末制御部４０１はハンディー端末記憶部４０２から駐車券管理プログラムを順次読み出して実行する。
【００４６】
ハンディー端末入出力部４０３は、タッチパネル、ディスプレイ、キーボードなどの入出力装置を含む。
【００４７】
ハンディー端末通信部４０４は、無線ルータ２を介してＬＡＮ１に接続し、通信を行う。
【００４８】
図６は、オーダーサーバ５０の構成を示すブロック図である。図６に示すように、オーダーサーバ５０は、オーダーサーバ制御部５０１と、オーダーサーバ記憶部５０２と、オーダーサーバ入出力部５０３と、オーダーサーバ通信部５０４と、を備える。
【００４９】
オーダーサーバ制御部５０１は、演算装置であるＣＰＵを含む。
【００５０】
オーダーサーバ記憶部５０２はメモリ、ハードディスクドライブなどの記憶装置を含む。オーダーサーバ記憶部５０２は、注文情報を格納するオーダーファイル５０２Ａを記憶する。
【００５１】
オーダーサーバ記憶部５０２は、駐車券管理プログラムを格納し、オーダーサーバ制御部５０１はオーダーサーバ記憶部５０２から駐車券管理プログラムを順次読み出して実行する。
【００５２】
オーダーサーバ入出力部５０３は、ディスプレイ、キーボード、マウスなどの入出力装置を含む。
【００５３】
オーダーサーバ通信部５０４はＬＡＮ１に接続し、通信を行う。
【００５４】
図７は、キッチン端末６０の構成を示すブロック図である。図７に示すように、キッチン端末６０は、キッチン端末制御部６０１と、キッチン端末記憶部６０２と、キッチン端末入出力部６０３と、キッチン端末通信部６０４と、を備える。
【００５５】
キッチン端末制御部６０１は、演算装置であるＣＰＵを含む。
【００５６】
キッチン端末記憶部６０２はメモリ、ハードディスクドライブなどの記憶装置を含む。キッチン端末記憶部６０２は、注文情報を格納するオーダーファイル６０２Ａを記憶する。
【００５７】
キッチン端末記憶部６０２は、駐車券管理プログラムを格納し、キッチン端末制御部６０１はキッチン端末記憶部６０２から駐車券管理プログラムを順次読み出して実行する。
【００５８】
キッチン端末入出力部６０３は、ディスプレイ、キーボード、マウスなどの入出力装置を含む。
【００５９】
キッチン端末通信部６０４はＬＡＮ１に接続し、通信を行う。
【００６０】
図８は、商品マスタ１０２Ａのデータ構成を示す図である。図８に示すように、商品マスタ１０２Ａは、商品に固有に割り当てられる識別子である「商品ＩＤ」と、取扱い部門を示す「部門」と、商品の名称を示す「商品名」と、商品の１単位量当たりの価格を示す「単価」と、を格納する。
【００６１】
各データの例は、商品ＩＤが「２０１２３」、部門が「０２」、商品名が「商品Ａ」、単価が「５８０」である。
【００６２】
図９は、トランザクションファイル１０２Ｂのデータ構成を示す図である。図９に示すように、トランザクションファイル１０２Ｂは、「テーブルＮｏ．」と、「伝票Ｎｏ．」と、「商品ＩＤ」と、「部門」と、「商品名」と、「単価」と、「数量」と、「駐車場」と、「券種」と、駐車券の「枚数」と、「担当者」と、を格納する。
【００６３】
「テーブルＮｏ．」はテーブルに固有に割り当てられる識別子である。「伝票Ｎｏ．」は一取引に固有に割り当てられる識別子である。「数量」と売り上げが立った数量を示す。「駐車場」は顧客が利用している駐車場を示す。「券種」と駐車券の種類を示す。「枚数」は駐車券の枚数を示す。「担当者」はフロア担当者を示す。
【００６４】
各データの例は、テーブルＮｏ．が「０８」、伝票Ｎｏ．が「１０２」、商品ＩＤが「２０１２３」、部門が「０２」、商品名が「商品Ａ」、単価が「５８０」、数量が「２」、駐車場が「駅北Ｐ」、券種が「６０分券」、枚数が「２」、担当が「○山△男」である。
【００６５】
オーダー入力ファイル４０２Ｂのデータ構成はトランザクションファイル１０２Ｂのデータ構成のうち駐車場、券種、枚数がないこと以外トランザクションファイル１０２Ｂのデータ構成と同様である。
【００６６】
図１０は、駐車場マスタ１０２Ｃのデータ構成を示す図である。図１０に示すように、駐車場マスタ１０２Ｃは、駐車場ごとに固有に割り当てられる「駐車場Ｎｏ．」と、駐車場の名称を示す「駐車場」と、券種に固有に割り当てられる「サービス券Ｎｏ．」と、「券種」と、券種ごとの駐車料金が無料になる時間を示す「時間」と、を格納する。
【００６７】
各データの例は、駐車場Ｎｏ．が「０１」、駐車場が「駅北Ｐ」、サービス券Ｎｏ．が「０１」、券種が「３０分券」、時間が「３０」である。
【００６８】
図１１は、オーダーファイル５０２Ａ及び６０２Ａのデータ構成を示す図である。図１１に示すように、オーダーファイル５０２Ａ及び６０２Ａは、「テーブルＮｏ．」と、「伝票Ｎｏ．」と、「商品ＩＤ」と、「部門」と、「商品名」と、「単価」と、「数量」と、「注文時間」と、「ステータス」と、「調理担当」と、「駐車場」と、「担当」と、を格納する。
【００６９】
「数量」は注文された商品の数量を示す。「注文時間」は当該商品が注文された時間である。「ステータス」は進行状況を示す識別子である。「調理担当」は当該商品の調理担当者の識別子である。
【００７０】
各データの例は、テーブルＮｏ．が「０８」、伝票Ｎｏ．が「１０２」、商品ＩＤが「２０１２３」、部門が「０２」、商品名が「商品Ａ」、単価が「５８０」、数量が「２」、注文時間が「１８：４０」、ステータスが「配膳完了」、調理担当が「１１」、駐車場が「駅北Ｐ」、担当が「○山△男」である。
【００７１】
図１２は、販売情報登録処理システムの動作を示すフローチャートである。図１２に示すように、ステップ１２０１において、ＰＯＳ制御部１０１はオペレータに指示に基づいて開局動作を行う。ここで、開局とは、当該営業日に最初にＰＯＳ端末１０を使用する場合に行われる各種の初期化動作を指す。この際、ＰＯＳ制御部１０１は駐車券の駐車場別の券種ごとの枚数を入力し、ＰＯＳ記憶部１０２に格納する。
【００７２】
ステップ１２０２において、ハンディーターミナル４０のハンディー端末制御部４０１は、オペレータの指示に基づいて顧客が入店して着席したことを示すデータであるチェックインをオーダーサーバ５０に送信する。この際、ハンディー端末制御部４０１は、併せて当該顧客がどの駐車場を利用したか、或いは駐車場を利用していないかについての駐車場利用情報を入力する。
【００７３】
ステップ１２０３において、オーダーサーバ５０のオーダーサーバ制御部５０１はハンディーターミナル４０からチェックイン及び駐車場利用情報を受信する。オーダーサーバ制御部５０１はテーブルＮｏ．に伝票Ｎｏ．を割り当てて以降の受注をハンディーターミナル４０及びオーダー端末３０に許可する。この際、オーダー端末３０には伝票Ｎｏ．が送信される。オーダーサーバ制御部５０１は当該伝票Ｎｏ．のデータに駐車場利用情報を付加してオーダーファイル５０２Ａに格納する。
【００７４】
ステップ１２０４において、オーダー端末３０のオーダー端末制御部３０１はオーダー端末入出力部３０３のタッチパネルに注文画面１７０１を表示する。顧客の指示に従って、オーダー端末制御部３０１は入力された注文を注文情報としてオーダーサーバ５０に送信する。
【００７５】
ステップ１２０５において、オーダーサーバ制御部５０１は注文情報を受信する。オーダーサーバ制御部５０１は受信した注文情報を、キッチン端末６０に送信する。
【００７６】
ステップ１２０６において、キッチン端末６０のキッチン端末制御部６０１はキッチン端末入出力部６０３のディスプレイに注文情報に基づいて調理指示を含むオーダー画面を表示する。
【００７７】
ステップ１２０７において、キッチン端末制御部６０１は調理担当者の指示に基づいて調理開始を示すデータを入力し、調理を開始した旨の情報をオーダーサーバ５０に送信する。
【００７８】
ステップ１２０８において、オーダーサーバ制御部５０１は調理を開始した旨の情報と、を受信する。オーダーサーバ制御部５０１は受信した調理を開始した旨の情報をオーダーファイル５０２Ａに格納する。
【００７９】
ステップ１２０９において、キッチン端末制御部６０１は調理が終了した商品について調理終了を示すデータを調理担当者の指示に基づいて入力し、テーブルＮｏ．及び伝票Ｎｏ．とともに商品ＩＤごとに調理終了を示すデータをオーダーサーバ５０に送信する。
【００８０】
ステップ１２１０において、オーダーサーバ制御部５０１は調理終了を示すデータを受信する。オーダーサーバ制御部５０１は、受信したテーブルＮｏ．、伝票Ｎｏ．、及び商品ＩＤに基づいてオーダーファイル５０２Ａを検索し、該当するデータのステータスに調理終了を示すデータを格納する。
【００８１】
ステップ１２１１において、ハンディー端末制御部４０１はオペレータの指示に基づいて配膳を完了した旨のデータをテーブルＮｏ．、伝票Ｎｏ．、及び商品ＩＤとともにオーダーサーバ５０に送信する。
【００８２】
ステップ１２１２において、オーダーサーバ制御部５０１は配膳完了を示すデータを受信する。オーダーサーバ制御部５０１は、受信したテーブルＮｏ．、伝票Ｎｏ．、及び商品ＩＤに基づいてオーダーファイル５０２Ａを検索し、該当するデータのステータスに配膳完了を示すデータを格納する。
【００８３】
ステップ１２１３において、管理端末２０の管理端末制御部２０１は、管理者の指示に基づいて進行状況の確認を指示するデータをオーダーサーバ５０に送信する。
【００８４】
ステップ１２１４において、オーダーサーバ制御部５０１は、現在チェックイン中の伝票Ｎｏ．のデータを進行状況データとしてオーダーファイル５０２Ａから読み出し、応答として管理端末２０に送信する。
【００８５】
管理端末制御部２０１は、受信した進行状況データに基づいて管理画面を管理端末入出力部２０３のディスプレイ乃至タッチパネルに表示する。管理端末制御部２０１は管理画面にフロアの状況及び注文の処理状況を表示する。
【００８６】
ステップ１２１５において、オーダー端末制御部３０１は顧客の指示に従い一取引の会計を指示する会計指示を伝票Ｎｏ．と共にオーダーサーバ５０に送信する。
【００８７】
ステップ１２１６において、オーダーサーバ制御部５０１は、受信した伝票Ｎｏ．に基づいてオーダーファイル５０２Ａを検索し、駐車場情報及び注文時間を含む注文情報をＰＯＳ端末１０に送信する。
【００８８】
ステップ１２１７において、ＰＯＳ制御部１０１は、一取引の合計を計算し、預り金からつり銭を計算する。この際、ＰＯＳ制御部１０１は、注文時間と現在時刻とから顧客の滞在時間を計算する。ＰＯＳ制御部１０１は、計算した滞在時間と、駐車場情報と、から当該駐車場の駐車券の券種と枚数を計算し、駐車場サービス券発行画面１４０１をＰＯＳ入出力部１０３にポップアップ表示する。
【００８９】
ステップ１２１８において、ＰＯＳ制御部１０１は駐車場サービス券発行画面１４０１を介して、オペレータの指示により修正された駐車券情報を入力する。
【００９０】
オペレータは、修正した駐車券情報に従って、顧客に駐車券を渡す。
【００９１】
図１３は、ハンディー端末入出力部４０３に表示される駐車場情報入力画面１３０１の例を示す図である。図１３に示すように、駐車場情報入力画面１３０１は、テーブルＮｏ．及び伝票Ｎｏ．を含む基礎情報欄１３０２と、顧客が利用している駐車場を入力する駐車場入力欄１３０３と、ＯＫボタン１３０４と、取消ボタン１３０５と、を含む。
【００９２】
オペレータが顧客から聞き出した顧客が利用している駐車場を駐車場入力欄１３０３から選択入力することにより、ハンディー端末制御部４０１は駐車場情報を入力する。
【００９３】
図１４は、駐車場サービス券発行画面１４０１の例を示す図である。図１４に示すように、駐車場サービス券発行画面１４０１は駐車場選択欄１４０２と、ＰＯＳ制御部１０１が算出した駐車券の枚数を修正する「＋」及び「−」の修正ボタン１４０３と、修正完了をＰＯＳ制御部１０１に指示するＯＫボタン１４０４と、を含む。
【００９４】
オペレータは駐車場サービス券発行画面１４０１によりＰＯＳ制御部１０１が算出した駐車券の枚数を修正してＰＯＳ端末１０に入力し、入力した駐車場情報に基づいて駐車券を顧客に渡す。
【００９５】
図１５は、ＰＯＳ入出力部１０３に表示される駐車場サービス券発行集計表１５０１の例を示す図である。図１５に示すように、駐車場サービス券発行集計表１５０１は、伝票Ｎｏ．ごとにＰＯＳ制御部１０１が計算した駐車券の枚数と、修正された駐車券の枚数と、を表示する集計欄１５０２を含む。
【００９６】
ＰＯＳ制御部１０１は、修正欄に当該営業日の駐車場べつの券種ごとの残枚数を合わせて表示してもよい。ＰＯＳ制御部１０１はこの残枚数と、配布枚数とを合計し、開局時に入力した枚数とを比較することにより紛失した駐車券の枚数を表示することもできる。
【００９７】
さらに、ＰＯＳ制御部１０１は担当ごとの駐車券の配布枚数の内訳を計算して表示することにより、担当ごとに駐車券配布業務を適正に管理することが可能となる。
【００９８】
以上述べたように、本実施形態の販売情報登録処理装置は、伝票Ｎｏ．ごとに駐車場情報を格納し、会計時に注文時間と現在時間から算出した滞在時間と、駐車場情報に基づいて顧客に渡すべき駐車券の枚数を計算する。
【００９９】
また、販売情報登録処理装置は、開局時の駐車券の枚数と、残枚数とを計算し、出力することができる。
【０１００】
従って、顧客に必要かつ十分な分だけ駐車券を配布でき、かつ駐車券の枚数の管理が容易にできるという効果がある。
【０１０１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
２０：管理端末
３０：オーダー端末
５０：オーダーサーバ
１０２Ａ：駐車場マスタ
３０１：オーダー端末制御部
３０２Ａ：商品マスタ
【図１】
0006310815.tif 000002
【図２】
0006310815.tif 000003
【図３】
0006310815.tif 000004
【図４】
0006310815.tif 000005
【図５】
0006310815.tif 000006
【図６】
0006310815.tif 000007
【図７】
0006310815.tif 000008
【図８】
0006310815.tif 000009
【図９】
0006310815.tif 000010
【図１０】
0006310815.tif 000011
【図１１】
0006310815.tif 000012
【図１２】
0006310815.tif 000013
【図１３】
0006310815.tif 000014
【図１４】
0006310815.tif 000015
【図１５】
0006310815.tif 000016